(57)【要約】      （修正有）【課題】腰部の痛みや、長時間の労働などによる腰部疲れ軽減のために腰部に巻き付ける固定帯において、装着時の身体からの発汗による水分を吸水する機能を待たせた腰部固定ベルトを提供する。【解決手段】全体が表布と裏布で構成され、長さ方向の両端部に雌雄の係止手段が設けられ、長さ方向の一部に伸縮部が設けられ、その長さ全体の各部位において表布と裏布の間に急速吸水材が挟持された構造とする。又伸縮部が設けられる以外の全部位の周長部に、表布と裏布に挟持させた非伸縮性の伸び止め芯材を縫合した構造とする。【選択図】なし【特許請求の範囲】
【請求項１】
全体が表布と裏布で構成され、長さ方向の両端部に雌雄の係止手段が設けられ、長さ方向の一部に伸縮部が設けられた腰部固定ベルトにおいて、その長さ全体部位の表布と裏布の間に急速吸水材が挟持されたことを特徴とする腰部固定ベルト
【請求項２】
前記伸縮部が設けられる以外の全部位の周長部に、表布と裏布に挟持させた非伸縮性の伸び止め芯材を縫合することを特徴とする請求項１に記載の腰部固定ベルト
【請求項３】
前記急速吸水材が、腰部固定ベルトの伸縮部の周長部において表布と裏布とに縫合されず開放状態とし、かつ前記急速吸水材が隣接する取り付け部位において、長さ方向の一方が表布、裏布、急速吸水材と一体縫合され、他端が複数の細い伸縮部材で固着されていることを特徴とする請求項１または請求項２のいずれかに記載の腰部固定ベルト
【発明の詳細な説明】
【技術分野】
【０００１】  本発明は、腰部の痛みや、長時間の労働などによる腰部疲れ軽減のために腰部に巻き付ける固定帯において、装着時の身体からの発汗による水分を急速吸水・蒸発散する機能を待たせた腰部固定ベルトに関する。
【背景技術】
【０００２】  近年、労働環境の変化に伴い、長距離トラックやタクシーの運転手にみられる長時間の運転姿勢に伴う腰痛、過激な運動による頸椎損傷による腰痛、オフィス事務に伴う所謂冷房病と言われる腰痛など、大勢の人々が様々な原因による腰痛に悩まされている。
その対策として、軽度の腰痛には古来からの腹巻き着用や、腰椎損傷などの重傷の腰痛には医療用コルセットの装着による痛みの軽減や機能回復目的など、腰部を固定する衣類等に依存しているのが現状である。【０００３】  先行事例を見ると、特にスポーツ用として運動に対する支障を最小限にするため、薄手の通気性伸縮素材を主体に構成し、ボーン折れ防止のための保護ボーンを背部に装着する腰部保護用衣類が提案されている（特許文献１）
また、腰痛の予防、治療に適するとして帯形状の本体とその背部に脊柱を中心として左右対称にステーを配置する構造の腰部固定帯が提案されている。（特許文献２）
また、腰部を温めかつ細菌の繁殖を抑制するため、遠赤外線を放射する特殊セラミックスと銀イオンを有する無機系抗菌剤を含有する高性能特殊セラミックスを練り込んだ繊維と通常繊維との混紡のメッシュ生地を用いた腰部保護帯が提案されている。（特許文献３）
【先行技術文献】
【特許文献】
【０００４】
【特許文献１】  特許第２７０２６６８号  公開広報
【特許文献２】  特開２００９−２４０７３８号  公開広報
【特許文献３】  実用新案登録第３０６７２４４号  公開広報
【発明の概要】
【発明が解決しようとする課題】
【０００５】  しかしながら、何れの先行事例をはじめ多くの市場製品は、腰痛の軽減や治療に主眼を置いているために、薄く、軽く、機能しやすい構造となっていることは認められるものの、装着時の身体からの発汗によるあせもや皮膚疾患等に対する方策や構造となっていないことが明らかである。
通気性の素材を用いる提案も多く見られるが、素材の通気性が抜群であってもこれら腰部固定帯などは肌に近い位置に装着されるため、外装衣服によって該通気性が遮られ、逆に通気性素材に汗などが多量に保持されることになり、あせもや皮膚障害をもたらす二次障害への対策が不十分と言わざるを得ないのが現状である。
特に医療用コルセットなどは、腰部固定が主体であるために用いられる素材も堅固なものであることが条件であり、装着者は時には床ずれに近い二次障害を発することも珍しくないのが実情である。
本件発明においては、腰部固定帯などの装着者の悩み解決のために身体からの発汗を一時的に急速吸水・蒸発散させる機能を織り込んだ腰部固定ベルトを提案するものである。
【課題を解決するための手段】
【０００６】  請求項１に記載の発明は、全体が主に表布と裏布で構成され、長さ方向の両端部に雌雄の係止手段が設けられ、長さ方向の一部に伸縮部が設けられた腰部固定ベルトにおいて、その長さ全体の部位において表布と裏布の間に急速吸水材が挟持されたことを特徴とする腰部固定ベルトとした。
本腰部固定ベルトに用いる急速吸水材は、繊維の体積の１０倍におよぶ水分を急速に吸水する素材を、表布（装着時に身体の外側となる部位：以下同じ）と裏布（装着時に身体の肌側がとなる部位：以下同じ）の間に挟持させることで、発汗が伴っても身体表面の水分残留を極力縮小し、装着者の装着部肌面が常に濡れ状態となる危険性を大幅に軽減できる構造としている。【０００７】  請求項２に記載の発明は、前記伸縮材が設けられる伸縮部以外の全部位の周長部に、表布と裏布に挟持させた非伸縮性の伸び止め芯材を縫合することを特徴とする請求項１に記載の腰部固定ベルト構造とした。
このことは、腰部固定ベルトに用いる表布、裏布、伸縮材、急速吸水材で構成される腰部固定ベルトにおいて、伸縮部のみが伸張するのではなく素材全体が伸張し、腰部固定ベルト装着後に伸縮材以外の素材が伸びることによる、腰部固定ベルトの緊張度が弛緩するのを防止するための構造としている。【０００８】  請求項３に記載の発明は、伸縮部に設けられる伸縮材と急速吸水材が、長さ方向における周長部において表布と裏布とに縫合されず開放状態であること、更に、前記急速吸水材が隣接する取り付け部位において、長さ方向の一方が表布、裏布、急速吸水材と一体縫合され、他端が開放状態にありかつ複数の細い伸縮部材で固着する構造を特徴とする請求項１又は請求項２に記載の何れかに記載の腰部固定ベルトとしている。
請求項１における腰部固定ベルトにおいて、表布と裏布を伸縮性の優れた素材を用いかつ伸縮性を発揮できる縫合技術をもってすれば、身体装着時十分に呼吸しやすい伸縮性に優れた製品を創出することは可能であるが、より一層、締付け感と伸縮素材の機能を十分に発揮させるには、長さ方向における周長部位において伸縮材と急速吸水材は表布及び裏布と縫合せず開放状態とし、伸縮部の伸縮度を最大限活用させる構造とした。
また、伸縮部に挟持する急速吸水材は伸縮性が低く、伸縮部を十分な伸縮性を発揮させるには、長さ方向において急速吸水材の一端は開放状態が好ましいのであり、洗濯等によって偏りを防止するため、該解放状態の端部は複数の細い伸縮部材で固着することにより、現在の急速給水材の伸縮に対して非伸縮性であることの難点を解消する構造としている。
【発明の効果】
【０００９】  本件発明の腰部固定ベルトを装着することにより、主に高温環境や勤労過多、軽度・重度の運動により発汗に伴う汗水分を表布と裏布に挟持させた急速吸水材が吸収し、外部に適宜蒸発散による放出する働きが機能し、肌と腰部固定ベルトの摩擦による肌荒れ、肌ずれなどの二次障害の発生を防止でき、快適な肌環境を保持することが可能となる。
また、医療用や介護用のコルセットの内側に施用することで発汗による肌荒れや床ずれに似た症状の大幅な緩和が期待できるため、損傷した腰部の機能回復への手助けにも貢献できるし、医療用コルセットに本件発明の腰部固定ベルトの仕様・機能を応用展開することによって新たなコルセットの創出にも貢献できる。
【図面の簡単な説明】
【００１０】
【図１】  請求項１に係る実施例１の腰部固定ベルト平面図（表面・裏面）
【図２】  請求項１に係る実施例１の腰部固定ベルト部材・部位別展開図
【図３】  請求項１に係る実施例２の腰部固定ベルト平面図（表面・裏面）
【図４】  請求項１に係る実施例３の腰部固定ベルト平面図（表面・裏面）
【図５】  請求項１に係る実施例４の腰部固定ベルト平面図（表面・裏面）
【図６】  請求項１に係る実施例４の腰部固定ベルト平面図（展開・緊縮手順）
【図７】  請求項２に係る腰部固定ベルトの心材縫合平面図
【図８】  請求項３に係る腰部固定ベルトの部材・部位別展開図
【図９】  図８における円で囲んだＡカ所の拡大詳細図
【図１０】  図８における円で囲んだＢカ所の拡大詳細図
【発明を実施するために形態】
【００１１】  請求項１に記載した本件発明の腰部固定ベルトについて図１〜図６を用いて実施例１〜実施例４として具体的に説明する。
【実施例１】  本件発明の実施例１に関する腰部固定ベルト１を図１〜図２を用いて説明する。
図１の（表面）は装着者の外側に相当し（裏面）は装着者の内側（肌側）に相当する構造である。
本件発明の腰部固定ベルト１は、厚み方向ではその全長に亘って肌側を形成する裏布２と外側を形成する表布３と、該裏布２と該表布３に狭持される急速吸水材５で構成し、さらに伸縮部７には平板状ゴム製などの伸縮材４が挟持される構造とし、長さ方向においては両端に係止部６と中央部には腰部背側当接部８と、該腰部背側当接部８と係止部６の中間部に伸縮部７とが連接して設けられる。
なお、本件発明においての急速吸水材には、本件発明の出願時点においてベルオアシス（帝人ファイバー株式会社の登録商標）が最も好ましい素材であるが、本件発明においてはベルオアシスに限定するものではなく本件発明の目的を達するための同等機能素材を全て包摂するものであり、以下の実施例においても同様とする。【００１２】  腰部背側当接部８が腰部固定ベルト１の略中央部に設けられているので、その腰部背側当接部８を装着者が自身の背に当接させたうえ、係止部６を身体の両側より引き寄せ、装着者の腹部位置において重ね会わせて、表布３と裏布２に縫合などにより一方の係止部６と他方の係止部６により係止・装着し、腰部背側当接部８と係止部６の中間部に設けた伸縮部７の伸縮しようとする引っ張り力により装着者の腰部を包み込むように補強固定する役目を果たすようにした腰部固定ベルト１を創出した。【００１３】  図２は本件発明の腰部固定ベルト１における構造の厚み方向に分解展開したものであり、本件発明の腰部固定ベルト１は、係止材６１を除き、伸縮部７が４層（イ）（ロ）（ハ）（ニ）で構成され、係止部６及び腰部背側当接部８が３層（イ）（ロ）（ニ）の構造となっている。この順序で重ね会わせて各連接部位が縫合などにより固定され腰部固定ベルト１を形成する。
以下に前記３層及び４層の各部位を詳細に説明する。【００１４】  図２の（イ）の１層目は本件発明の腰部固定ベルト１の装着者における最も肌側に位置する層となる裏布２であり、長さ方向の全体を機能ごとに５分割して構成しており、両端の係止部６と腰部背側当接部８その中間部に設けられる平板状ゴム製などの伸縮部７とを連接して形成され、裏布２の素材は良好な通気性と吸汗速乾性を有し若干の伸縮機能を有する布が最適である。【００１５】  次いで（ロ）の２層目は急速吸水材５で構成される吸水層であり裏布２と表布３と同様に、長さ方向に全体に５分割で構成される。
次いで（ハ）の３層目は平板状ゴム性などの伸縮材４で構成される伸縮層であり腰部背側当接部８と係止部６の中間に位置される。
次いで（ニ）の４層目は表布３として裏布２と相対するように全体を機能ごとに５分割して構成されており、両端の係止部６と腰部背側当接部８その中間部に設けられる平板状ゴム製などの伸縮部７とを連接して形成され、その素材は裏布２と同様に良好な通気性と吸汗速乾性を有し若干の伸縮機能を有する布が最適である。【００１６】  また、本件発明の腰部固定ベルト１には装着者が腰部に装着した場合に重ね会わせた後に係止するため、両端の係止部６における一方の裏布２面には雄機能を有する係止材６１が二の字なるように二本を長さ方向に並行に縫合などによって固着され、他方の表布３には係止材６１と係止可能な雌機能を有する係止素材（パイル生地相当素材）６２によって構成し、装着者が身体の前面で係止する構造となっている。【００１７】  実施例１において、伸縮部７は腰部背側当接部８と係止部６の中間部２カ所設けることしているが、伸縮部７は本件発明に制約されず何れか１カ所のみ設けても何ら差し支えなく、その位置に関しても本件発明の目的が達せられる構造であれば、その構成と構造に関して全てを包摂するものとする。
【実施例２】
【００１８】  本件発明の実施例２に関する腰部固定ベルト１について図３を用いて説明する。
本実施例２は前記実施例１の応用展開した腰部固定ベルトである。
図３の（表面）は装着者の外側に相当し、（裏面）は装着者の肌側に相当する構造である。
本実施例の腰部固定ベルト１は、全体の厚み方向では肌側を形成する裏布２と外側を形成する表布３と急速吸水材５で全体を構成し、伸縮部７には更に平板状ゴム製などの伸縮材４が挟持され、長さ方向においては両端に係止部６とその中間部には伸縮部７と腰部背側当接部８と腰部横腹側当接部９とが連接して設けられる。【００１９】  腰部背側当接部８が腰部固定ベルト１の一方側に設けられ、該腰部背側当接部８の略反対側に相当する位置に伸縮部７が設けられているので、該腰部背側当接部８を装着者が自身の背に当接させたうえ、腰部固定ベルト１の余長の長い方の係止部６をたぐり寄せ腰部横腹側当接部９を装着者の横腹側に当接後、腰部の横部位に位置する係止部６に他方の係止部６とを重ね会わせて、一方の係止部６の裏布２に縫合した係止材６１を他方の表布３の係止素材６２により係止して身体に装着し、腰部横腹側当接部９と係止部６の中間部に設けた伸縮部７の伸縮しようとする引っ張り力により装着者の腰部位を包み込むように補強・固定する役目を果たすようにした。【００２０】  本実施例２の腰部固定ベルト１の構造の厚み方向の構成に関しては、伸縮部７が１カ所に設けられている構造が特徴でありその構成を除けば実施例１に相当する構成と同様範囲であることに鑑み詳細の図示及び説明を省略する。
なお、伸縮部７を腰部横腹側当接部９と係止部６の中間部に設けることしているが伸縮部７は本実施例の図示に制約されず左右何れかに設けても何ら差し支えなく、その位置に関しても本件発明の目的が達せられる構造であれば、その構成と構造に関して全てを包摂するものとする。
【実施例３】
【００２１】  本件発明の実施例３に関する腰部固定ベルト１について図４を用いて説明する。
本実施例３は前記実施例１の構成をベースに、より高機能化を図った腰部固定ベルト１である。
本実施例の腰部固定ベルト１は、厚み方向では実施例１同様にその全長に亘って肌側を形成する裏布２と外側を形成する表布３と、該裏布２と該表布３に狭持される急速吸水材５で構成し、さらに伸縮部７には平板状ゴム製などの伸縮材４が挟持される構造とし、長さ方向においては両端に係止部６と中央部には立体裁断された裏布２及び表布３並びに速乾吸水材５で構成する立体裁断腰部背側当接部８１、８２と、該立体裁断腰部背側当接部８と係止部６の中間部に伸縮部７とが連接して設けられる。【００２２】  立体裁断腰部背側当接部８１、８２が腰部固定ベルト１の略中央部に設けられているので、該立体裁断腰部背側当接部８１、８２を装着者が自身の背に当接させたうえ、係止部６を身体の両側より引き寄せ、装着者の腹部位置において重ね会わせて、裏布２と表布３に縫合などにより一方の係止部６の裏布２面に固着した雄機能を有する係止材６１と他方の係止部６の前記係止材６１と係止可能な雌機能を有する係止素材６２により身体に係止・装着し、立体裁断腰部背側当接部８１、８２と係止部６の中間部に設けた伸縮部７の伸縮しようとする引っ張り力により装着者の腰部を包み込むように補強固定する役目を果たすようにした腰部固定ベルト１を創出した。【００２３】  本実施例３の腰部固定ベルト１の構造の厚み方向の構成に関しては、実施例１に相当する構成と同様範囲であることに鑑み詳細の図示及び説明を省略する。
なお、前記立体裁断腰部背側当接部８１、８２は本実施例の図示に制約されず複数の立体裁断布を用いても単体の立体裁断布を用いても本件発明においては何ら差し支えない。【００２４】  本実施例３において、伸縮部７を立体裁断腰部背側当接部８１、８２と係止部６の中間部に設けることとしているが伸縮部７は本実施例の図示に制約されず左右何れかに設けても何ら差し支えなく、その位置に関しても本件発明の目的が達せられる構造であれば、その構成と構造に関して全てを包摂するものとする。【００２５】  本実施例の腰部固定ベルト１の最大の特徴は、立体裁断腰部背側当接部８１、８２に立体裁断された部材を用いることにより、装着者が本実施例の腰部固定ベルト１を装着した場合、背骨下部から腰椎と骨盤上部にいたる範囲まで、略同じ緊縮度を確保できるため、上部は腹圧の醸成、中間部は腰椎を下部は骨盤の固定に寄与するなど腰部全域に亘っての保温、圧迫、固定などの効用を発揮できることにある。
【実施例４】
【００２６】  本件発明の実施例４に関する腰部固定ベルト１について図５〜図６を用いて説明する。本実施例４は前記実施例３をベースに、より緊張度を高める機能を有する腰部固定ベルト１である。
本実施例の腰部固定ベルト１は、厚み方向では実施例１同様にその全長に亘って肌側を形成する裏布２と外側を形成する表布３と、該裏布２と該表布３に狭持される急速吸水材５で構成し、さらに伸縮部７には平板状ゴム製などの伸縮材４が挟持される構造とし、長さ方向においては図５に示すとおり両端に係止部６と中央部には立体裁断された裏布２及び表布３並びに速乾吸水材５で構成する立体裁断腰部背側当接部８１、８２と、該立体裁断腰部背側当接部８１、８２と係止部６の中間部に伸縮部７とが連接して設けられ、更に、係止部６の、立体裁断腰部背側当接部８１寄りに緊縮ベルト１０を固着し、立体裁断腰部背側当接部８１の係止部６寄りにダブルカン（「２個の環」以下同じ）１１を縫合などにより固着し、該緊縮ベルト１０の端部には係止材６１が固着されている構造としている。【００２７】  本実施例４の腰部固定ベルト１の構造の厚み方向の構成に関しては、実施例１に相当する構成と同様範囲であることに鑑み詳細の図示及び説明を省略する。
なお、本実施例４において、伸縮部７を立体裁断腰部背側当接部８１と係止部６の中間部に設けることとしているが伸縮部７は本実施例の図示に制約されず左右何れかに設けても何ら差し支えなく、その位置に関しても本件発明の目的が達せられる構造であれば、その構成と構造に関して全てを包摂するものとする。【００２８】  本実施例の腰部固定ベルト１の最大の特徴は、図６の（イ）（ロ）（ハ）に示したように立体裁断腰部背側当接部８１と係止部６の中間にダブルカン１１を通じて緊縮ベルト１０を折り返してその端部を係止部６に係止材６１により固定させることで、装着者が本実施例の腰部固定ベルト１を装着した後に、装着者の意図に基づき適宜な緊縮度を自由に調節・確保できるようにしたことであり、常に緊縮度の微調整や緊縮のハード性を求める着用利用者に最適な機能を持たせる構造・機能としたことである。なお、ダブルカン１１の部位にトリプルカン（３個の環）を用いても良い。【００２９】  請求項２について、図７を用いて説明する。
本件請求項１の腰部固定ベルト１の構成・構造によると、腰部を席巻した場合の緊張を伸縮部７と裏布２及び表布３の伸縮機能を合わせて活用することとしているが、通常の布地自体には伸縮機能が殆ど存在しないものの、裏布２や表布３に用いる素材によっては、腰部固定後に身体の動きに連動して裏布２や表布３が伸びきり状態に至り伸縮部７の伸縮度を超越する伸張り伸縮の回復が見込めず、腰部固定状態が弛緩することなどの欠点が発生する。【００３０】  このことを未然に改善し、裏布２や表布３の素材の選択制の自由度を高めるための構造を創世した。
図５では、本件発明の腰部固定ベルト１の周長部において、伸縮部７を除いてその他の部位に伸張度が極めて小さい非伸縮性の伸び止め芯材１１を裏布２と急速吸水材５及び表布３と共に縫合する構造とした。
この構造とすることにより、装着者が本件発明の腰部固定ベルト１を装着した場合の緊張度は、常に伸縮部７に用いた平板状ゴムなどの伸縮材４の一定の緊張度合いによって腰部固定がなされ、時間経過と共に弛緩する弱点を克服できるうえ、装着者の呼吸の変動による息苦しさも惹起しない機能を有することとなる。【００３１】  請求項３について図８〜図１０を用いて説明する。
本件発明の腰部固定ベルト１は、急速吸水材５を本件発明の腰部固定ベルト１の全長に亘って裏布２と表布３とに挟持させ、装着者の腰部固定ベルト１の装着に伴って発生する発汗による汗や水分を急速吸水し、表布３の表面より蒸発散せしめることを最大の目的としている。
しかしながら、高吸水・高吸湿繊維であるベルオアシスに代表される急速吸水材５の繊維製品は一般的に伸張度が極端に小さいのが通常であり、殆ど伸び代を有していない非伸縮性であるのが現状である。
従って、本件発明の腰部固定ベルト１における、伸縮部７位置において裏布２、急速吸水材５、伸縮材４、表布３を一体縫合した場合、腰部固定ベルト１の周長部は伸縮部７においても他の部位同様に伸張度が極めて小さくなる可能性を否定できないものとなる。【００３２】  その弱点を回避するための第１点なる構造は、図８のＡ及び図９に示すとおり、伸縮部７に用いる平板状ゴムなどの伸縮材４を該腰部固定ベルト１の周長部において裏布２と表布３と一体縫合せずに解放状態とする構造とした。
また、第２点なる構造は、図８のＢ及び図１０に示すとおり、伸縮部７における急速吸水材５の非伸縮性を回避するため、長さ方向において急速吸水材５の一端は裏布２、伸縮材４、表材３と一体縫合して固着するものの、他端は一体縫合せずに解放状態にして伸縮部７の伸縮機能を発揮させる構造とする。なお、急速吸水材５の解放端は細長伸縮材１３を用いて隣接する部位に縫合等により固着する構造としことにより、急速吸水材５が裏布２と表布３の狭持間で自由移動しない構造としている。【００３３】  この構造により非伸縮性の急速吸水材５の機能に制約を受けることなく伸縮部７に設けた平板状ゴムなどの伸縮材４の機能が優先的に働き、伸縮度をより大きくかつ柔軟度が発揮され、併せて急速吸水材５の３方向（周長部と隣接部との一端）が開放状態の自由端となり、洗濯などにより該自由端が裏布２、伸縮材４、表布３に挟持された状態から逸脱して、急速吸水材５が伸縮部７の一部に偏る弱点を引き起こす弱点を克服させた腰部固定ベルト１を創出できたのである。【００３４】  なお、前記実施例１から実施例４に共通する構造として、腰部背側当接部８及び立体裁断腰部背側当接部８１、８２の表布３の外面に、袋状の収納部（図示せず）を縫合等によって固着して設けることも本件発明に含めるものとする。
当該収納部には、腰部、特に腰部背側当接部８を保温・加温するまたは湿布環境を整えるために懐炉等を収納するに至便である。
なお、素材としては編み目素材が良好であるが、本件発明ではその形状・大きさ・素材等に関して制約を設けるものでなく、本件発明の目的を達成することが可能な範囲を全て包摂するものとする。【００３５】  次に、前記実施例１から実施例４に共通する構造として、裏布２及び表布３に用いる素材に関してもニット編みの吸汗速乾素材が最適であるが、本件発明の目的を達せられる素材であれば本件発明に何ら制約を設けるものではなく、本件発明においてはその機能に該当する繊維・素材全てを包摂するものとする。【００３６】  更に、前記実施例１から実施例４に共通する構造として、伸縮部７に用いる裏布２と表布３に関しては横糸方向に連成することにより伸縮部７の伸縮度を大きく利用できる利点があり、一方その他部位である係止部６、腰部背側当接部８、腰部横腹側当接部９に用いる裏布２と表布３に関しては縦糸方向に連成することで伸縮度を小さくできてかつ引っ張り強度を大きく取れる利点がある。【００３７】  本件発明の腰部固定ベルト１は、単独で腰部の損傷保護や、痛み緩和、腰部の柔軟な固定向けに有効であり、最大の特徴は発汗などによる水分を急速吸水材５により十二分に吸水し、表布３の外表面より外部へ蒸発散放出する機能を持たせたことで、腰部固定ベルト１の装着による二次障害となっていたあせも、皮膚ただれ、床ずれに似た症状を殆ど発症しないという腰部固定ベルト１を創出するに至ったのである。
この機能は、腰部を損傷した場合の医療用や高齢者の腰部弱体化の介護用のコルセットの下部（肌側）に装着することによって、コルセット装着による皮膚障害を相当なレベルで改善できるものであり、医療や介護の効果をより高められる補助具としての役割を担える装備と位置づけられる。【００３８】  本願発明の腰部固定ベルト１を基本形として、膝痛向けの固定ベルト又はサポーターに応用展開することで高齢者が陥る膝関節弱体化の補完や歩行による痛み緩和に役立つほか、歩行等による発汗の吸汗とそれに伴う膝裏の疾患防止にも有用な構造を有している。
また、スポーツ選手に見られる肘関節の痛みや違和感の解消や緩和に肘向けの固定ベルト又はサポーターとして、特にスポーツ中の発汗に対する強力な吸汗作用が本願発明構造でもって最適な効果を奏するものとして利用できる。
なお、膝や肘に限定されることなく、頸椎部、手首部、踵部など人体のあらゆる関節痛緩和や関節保護向けの固定ベルト又はサポーターとしても応用展開が可能であり、その全てが本願発明に包摂されるものとする。【００３９】  また、更なる技術改良は伴えば、前記コルセットに本件発明の構造を付加又は装備させた医療具を新たに創出することも可能である。
本件発明の腰部固定ベルト１を複数用意することで、適宜な交換でいつでも快適な肌環境を継続して維持できることは、装着者にとって快適な保養や医療・介護生活が担保される。
【符号の説明】
【００４０】１  本件発明の腰部固定ベルト
２  裏布
３  表布
４  伸縮材
５  急速吸水材
６  係止部
７  伸縮部
８  腰部背側当接部
９  腰部横腹側当接部
１０  緊縮ベルト
１１  ダブルカン
１２  伸び止め芯材
１３  細長伸縮材
６１  係止材
６２  係止素材
８１、８２  立体裁断腰部背側当接部
【図１】
2013081751.tif 000002
【図２】
2013081751.tif 000003
【図３】
2013081751.tif 000004
【図４】
2013081751.tif 000005
【図５】
2013081751.tif 000006
【図６】
2013081751.tif 000007
【図７】
2013081751.tif 000008
【図８】
2013081751.tif 000009
【図９】
2013081751.tif 000010
【図１０】
2013081751.tif 000011